(57)【特許請求の範囲】
【請求項１】
複数の出力端子と複数の入力端子とを備え所定のパルス幅の検査信号を前記出力端子に出力すると共に前記入力端子に入力された前記検査電圧を検知する制御部と、前記出力端子にそれぞれ接続される複数の出力線と、前記入力端子にそれぞれ接続される複数の入力線と、前記入力線に抵抗体を介して接続される電圧源と、前記出力線と前記入力線との間に接続されるスイッチ導線および該スイッチ導線に配設され操作している間だけＯＮとなり操作をやめるとＯＦＦとなる操作スイッチと、で主体が構成され、各前記出力線と各前記入力線との間をそれぞれ前記スイッチ導線および前記操作スイッチが設置可能な操作スイッチ設置可能箇所とし、一の前記操作スイッチ設置可能箇所に、対応する前記出力線と前記入力線の間に接続される複数の前記スイッチ導線および前記操作スイッチが設けられ、前記一の前記操作スイッチ設置可能箇所に設けられる前記複数の前記スイッチ導線にそれぞれ、互いに抵抗値が異なるスイッチ抵抗体が前記操作スイッチと直列に設けられることを特徴とする操作スイッチの操作検出用回路。
【請求項２】
請求項１記載の操作スイッチの操作検出用回路を備えた加熱調理器であって、加熱部と、前記加熱部による加熱の開始および停止を制御する制御部と、前記加熱部による加熱の停止指令を前記制御部に対して入力するための停止指令用操作部と、を備え、
前記停止指令用操作部に対応する前記操作スイッチと直列に設けられる前記スイッチ抵抗体の抵抗値を、全ての前記スイッチ抵抗体のうちで最も低い抵抗値とすることを特徴とする加熱調理器。
【発明の詳細な説明】
【技術分野】
【０００１】
本発明は、操作スイッチの操作検出用回路およびそれを備えた加熱調理器に関するものである。
【背景技術】
【０００２】
複数の操作スイッチが操作されたことを検出する回路を、操作スイッチに接続された個別の入力線を介して各々の操作スイッチへの操作を検出する所謂スタティック回路で構成すると、信号線の本数は操作スイッチの数だけ必要になる。そこで、本出願人は、前記回路を所謂ダイナミック回路で構成し、信号線の本数を操作スイッチの数よりも低減可能とする技術を開発した（例えば特許文献１参照）。
【先行技術文献】
【特許文献】
【０００３】
【特許文献１】特開２０１２−１１２５７６号公報
【発明の概要】
【発明が解決しようとする課題】
【０００４】
ダイナミック回路では、制御部が備える出力線の数をｍ本とし、入力線の数をｎ本としたとき、ｍ×ｎ個の操作スイッチの操作を検出できると共に、制御部と操作部を接続する信号線（すなわち入力線と出力線の合計）の本数はｍ＋ｎ本である。
【０００５】
これに対し、スタティック回路では、ｍ×ｎ個の操作スイッチの操作を検出するためには、制御部と操作スイッチとを接続する信号線の本数は、操作スイッチの個数と同じｍ×ｎ本必要となる。要するに、ｍ×ｎ個の操作スイッチの操作を検出する場合、ｍ×ｎ＞ｍ＋ｎの時には、スタティック回路により操作スイッチ操作検出回路を構成する場合に比べて、ダイナミック回路により操作スイッチ操作検出回路を構成した場合のほうが制御部と操作スイッチとを接続する信号線を少なくなるように構成できる。
【０００６】
そして、さらなる信号線の削減、言い換えると、特許文献１に示すダイナミック回路と同じ本数の信号線に対してより多くの操作スイッチを接続することが望まれるものであった。
【０００７】
本発明は上記従来の問題点に鑑みて発明したものであって、所謂ダイナミック回路で構成され、さらなる信号線の削減が可能な操作スイッチの操作検出用回路およびそれを備えた加熱調理器を提供することを課題とするものである。
【課題を解決するための手段】
【０００８】
上記課題を解決するために、本発明の請求項１に係る操作スイッチの操作検出用回路は、複数の出力端子と複数の入力端子とを備え所定のパルス幅の検査信号を前記出力端子に出力すると共に前記入力端子に入力された前記検査電圧を検知する制御部と、前記出力端子にそれぞれ接続される複数の出力線と、前記入力端子にそれぞれ接続される複数の入力線と、前記入力線に抵抗体を介して接続される電圧源と、前記出力線と前記入力線との間に接続されるスイッチ導線および該スイッチ導線に配設され操作している間だけＯＮとなり操作をやめるとＯＦＦとなる操作スイッチと、で主体が構成され、各前記出力線と各前記入力線との間をそれぞれ前記スイッチ導線および前記操作スイッチが設置可能な操作スイッチ設置可能箇所とし、一の前記操作スイッチ設置可能箇所に、対応する前記出力線と前記入力線の間に接続される複数の前記スイッチ導線および前記操作スイッチが設けられ、前記複数の前記スイッチ導線にそれぞれ抵抗値が異なるスイッチ抵抗体が前記操作スイッチと直列に設けられることを特徴とする。
【０００９】
請求項２に係る発明は、請求項１記載の操作スイッチの操作検出用回路を備えた加熱調理器であって、加熱部と、加熱部による加熱の開始および停止を制御する制御部と、前記加熱部による加熱の停止指令を前記制御部に対して入力するための停止指令用操作部と、を備え、前記停止指令用操作部に対応する前記操作スイッチと直列に設けられる前記スイッチ抵抗体の抵抗値を、全ての前記スイッチ抵抗体のうちで最も低い抵抗値とすることを特徴とする。
【発明の効果】
【００１０】
本発明の請求項１に係る操作スイッチの操作検出用回路にあっては、従来のダイナミック回路と同じ本数の信号線に対してより多くの操作スイッチを接続することが可能となる。
【００１１】
本発明の請求項２に係る加熱調理器にあっては、停止指令用操作部に対応する操作スイッチが接続される出力線と入力線との間のインピーダンスが低減され、この操作スイッチの操作検出用回路にノイズが印加されたときにも、誤検出の発生が抑制され、適正に加熱部による加熱の停止指令を制御部に対して入力することができ、安全な加熱調理器とすることが可能となる。
【図面の簡単な説明】
【００１２】
【図１】本発明の操作スイッチの操作検出用回路を備えた加熱調理器が組み込まれたキッチンカウンターを示し、加熱調理器の操作部が引き出された状態の斜視図である。
【図２】本発明の操作スイッチの操作検出用回路を備えた加熱調理器が組み込まれたキッチンカウンターを示し、加熱調理器の操作部が収納された状態の斜視図である。
【図３】本発明の操作スイッチの操作検出用回路を備えた加熱調理器の斜視図である。
【図４】操作スイッチの操作検出用回路の構成図である。
【図５】操作スイッチＳＷ１のみがＯＮとなっている操作スイッチの操作検出用回路の構成図である。
【図６】操作スイッチＳＷ１のみがＯＮとなっているときの出力端子への出力および入力端子からの入力を示すタイムチャートである。
【図７】操作スイッチＳＷ２のみがＯＮとなっている操作スイッチの操作検出用回路の構成図である。
【図８】操作スイッチＳＷ２のみがＯＮとなっているときの出力端子への出力および入力端子からの入力を示すタイムチャートである。
【図９】操作スイッチＳＷ１およびＳＷ２のみがＯＮとなっている操作スイッチの操作検出用回路の構成図である。
【図１０】操作スイッチＳＷ１およびＳＷ２のみがＯＮとなっているときの出力端子への出力および入力端子からの入力を示すタイムチャートである。
【図１１】他例の操作スイッチの操作検出用回路の構成図である。
【図１２】他例の操作スイッチＳＷ１のみがＯＮとなっているときの出力端子への出力および入力端子からの入力を示すタイムチャートである。
【発明を実施するための形態】
【００１３】
以下、本発明を添付図面に示す実施形態に基いて説明する。
【００１４】
操作スイッチの操作検出用回路を備えた加熱調理器２は、本実施形態においては図１に示すように、ガスコンロであり、加熱部４として三つのコンロバーナが横方向に並設される本体部と、天板３と、操作部６と、を主要部として構成されている。
【００１５】
本体部は、キッチンカウンター１のカウンタートップ１１の開口に吊持されて、カウンタートップ１１に組み付けられている。なお、本実施形態の加熱調理器２は、所謂ビルトインタイプであるが、ビルトインタイプでないものであっても勿論よい。
【００１６】
天板３は、カウンタートップ１１に組み付けられた本体部を覆い且つ周縁部をカウンタートップ１１の上面に当接させる状態に装着され、また、天板３の上部には、三つのコンロバーナそれぞれに対して五徳５が装備されている。
【００１７】
本体部は、カウンタートップ１１の前縁１１ａよりも後方側に大きく引退した位置に装着され、天板３は、本体部の装着箇所を覆う状態で装着されており、カウンタートップ１１における天板３よりも前側部分が、調理用作業面１２を構成する。
【００１８】
操作部６は、横長の帯板状に形成されて、その上面部に、三つのコンロバーナの点火及び消火、並びに、火力調整等の操作を行う複数の個別操作部を備えている。
【００１９】
そして、上述の如く調理用作業面１２を構成するために、本体部や天板３がカウンタートップ１１の前縁１１ａよりも後方側に引退した位置に装着されるのに対して、操作部６は、キッチンカウンター１の前縁側１１ａ部分に装着されている。
【００２０】
具体的には、操作部６が、カウンタートップ１１の下方側に収納される収納位置（図２参照）とカウンタートップ１１の前方側に突出する突出位置（図１参照）とに位置変更自在に支持されて、突出位置に位置された状態において、三つのコンロバーナの点火及び消火、並びに、火力調整等の操作を行えるようになっている（図３参照）。
【００２１】
尚、図示はしないが、収納位置に位置する操作部６を後方側に少し押し込み操作することにより、操作部６を突出位置に自動的に位置変更操作し、突出位置に位置する操作部６を収納位置に押し込み操作することにより、収納位置に自動的に保持する操作部保持機構が設けられている。
【００２２】
また、図３に示すように、キッチンカウンター１の前面における操作部６の横側箇所には、電源操作部７が装備されており、操作部６を収納位置に収納してコンロバーナを燃焼させている状態において、コンロバーナを消火するときに、この電源操作部７を押し操作することにより、コンロバーナを消火させることができるようになっている。ちなみに、コンロバーナを燃焼させている状態において電源操作部７が押し操作されると、三つのコンロバーナのうちの点火しているものが全て消火されることになる。
【００２３】
制御部は本体部に設けられ、三つのコンロバーナの点火及び消火、並びに、火力調整等の操作を行う各個別操作部が操作されたことを操作検出用回路で検出するのであるが、操作検出用回路においては後述する所謂ダイナミック回路を用いた構成としている。制御部は、例えばマイクロコンピュータからなるもので、本実施形態のように加熱調理器２の制御部がその機能を兼ね備えていてもよく、別に設けてもよいもので、以下単に制御部という。
【００２４】
制御部は、複数の出力端子と複数の入力端子とを備えたもので、図４に示す本実施形態では、２個の出力端子（ＣＯＭ１、ＣＯＭ２）と２個の入力端子（ＤＡＴ１、ＤＡＴ２）を備えているが、出力端子と入力端子の個数は特に限定されない。そして、所定のパルス幅の検査信号を出力端子ＣＯＭ１、ＣＯＭ２に出力すると共に、入力端子ＤＡＴ１、ＤＡＴ２に入力された検査電圧を検知するものである。
【００２５】
出力端子ＣＯＭ１、ＣＯＭ２にはそれぞれ出力線ｏ１、ｏ２が接続されると共に、入力端子ＤＡＴ１、ＤＡＴ２にはそれぞれ入力線ｉ１、ｉ２が接続される。制御部が備える出力端子ＣＯＭ１、ＣＯＭ２と入力端子ＤＡＴ１、ＤＡＴ２全てに出力線ｏ１、ｏ２と入力線ｉ１、ｉ２とがそれぞれ接続されるのが好ましいが、その必要はない。各入力線ｉ１、ｉ２には、それぞれ抵抗体Ｒ１、Ｒ２を介して電圧源Ｖ１、Ｖ２が接続される。本実施形態では、電圧源Ｖ１、Ｖ２の電圧値は５Ｖであり、抵抗体Ｒ１、Ｒ２の抵抗値は７．５ｋΩであるが、特に限定されない。
【００２６】
そして、任意の一の出力線と任意の一の入力線との間がそれぞれ、スイッチ導線および操作スイッチＳＷ１〜ＳＷ８が設置可能な操作スイッチ設置可能箇所Ｇ１〜Ｇ４となる。すなわち、操作スイッチ設置可能箇所は、出力線の数をｍ本とし、入力線の数をｎ本としたとき、ｍ×ｎ箇所存在する。本実施形態では、図４に示すように、出力線が２本（ｍ＝２）であり、入力線の数が２本（ｎ＝２）であるため、操作スイッチ設置可能箇所は４箇所（ｍ×ｎ＝２×２）存在する。全ての操作スイッチ設置可能箇所にスイッチ導線および操作スイッチＳＷ１〜ＳＷ８が設置されるのが好ましいが、その必要はない。本実施形態では、図４に示すように、全ての操作スイッチ設置可能箇所Ｇ１〜Ｇ４にスイッチ導線および操作スイッチＳＷ１〜ＳＷ８が設置されている。
【００２７】
スイッチ導線は、一端が出力線ｏ１、ｏ２に接続され、他端が入力線ｉ１、ｉ２に接続され、途中に操作スイッチＳＷ１〜ＳＷ８およびスイッチ抵抗体ＳＲ１〜ＳＲ８が設けられる。操作スイッチＳＷ１〜ＳＷ８は、操作部６に設けられる個別操作部にそれぞれ対応するもので、この操作スイッチＳＷ１〜ＳＷ８としては、個別操作部が例えば押し操作等の操作を行っている間だけスイッチがＯＮとなり、操作をやめるとスイッチがＯＦＦとなるモーメンタリ動作型スイッチであるタクトスイッチが用いられている。スイッチ抵抗体ＳＲ１〜ＳＲ８は、スイッチ導線に操作スイッチＳＷ１〜ＳＷ８と直列となるように設けられる。本実施形態では、スイッチ抵抗体ＳＲ１、ＳＲ３、ＳＲ５、ＳＲ７の抵抗値は１０ｋΩであり、スイッチ抵抗体ＳＲ２、ＳＲ４、ＳＲ６、ＳＲ８の抵抗値は４．７ｋΩであり、この点については後述する。
【００２８】
本実施形態ではさらに、図４に示すように、各スイッチ導線に、アノードが入力線ｉ１、ｉ２側に接続されカソードが出力線ｏ１、ｏ２側に接続されるダイオードＤ１〜Ｄ８が設けられる。これらのダイオードＤ１〜Ｄ８は、複数の操作スイッチＳＷ１〜ＳＷ８が同時に操作されたときに、操作スイッチＳＷ１〜ＳＷ８を介して電流が回りこみ、操作スイッチＳＷ１〜ＳＷ８の操作を誤検出してしまうことを防止するための同時押し時の逆流を防止するものである。
【００２９】
ダイナミック回路の基本的な動作について説明する。
【００３０】
制御部は、複数の出力線ｏ１、ｏ２にそれぞれ相異なる時点で検査信号を出力し、検査信号が入力された入力線ｉ１、ｉ２と、この時に検査信号を出力していた出力線ｏ１、ｏ２の組合せから、いずれの操作スイッチ設置可能箇所Ｇ１〜Ｇ４に配置された操作スイッチＳＷ１〜ＳＷ８が操作されたかを検出する。
【００３１】
具体的には、まず、ＣＯＭ１に検査信号としてＨｉｇｈ（本実施形態では５Ｖ）を出力すると共にＣＯＭ２にはＬｏｗ（本実施形態では０Ｖ）を出力する。このとき、操作スイッチＳＷ１〜ＳＷ８が全てＯＦＦであれば、ＤＡＴ１およびＤＡＴ２には５Ｖが入力される。また、操作スイッチＳＷ５〜ＳＷ８のいずれかがＯＮとなり、操作スイッチＳＷ１〜ＳＷ８の残りがＯＦＦであっても、ＤＡＴ１およびＤＡＴ２には５Ｖが入力される。
【００３２】
そして、操作スイッチＳＷ１〜ＳＷ４の一つとして例えば操作スイッチ設置可能箇所Ｇ１の操作スイッチ（ＳＷ１またはＳＷ２）がＯＮとなり、残りの操作スイッチＳＷ３〜ＳＷ８がＯＦＦであると、ＤＡＴ１に０〜５Ｖの中間値、ＤＡＴ２に５Ｖが入力される。
【００３３】
これにより、ＣＯＭ１の入力線ｉ１とＤＡＴ１の出力線ｏ１との間の操作スイッチ設置可能箇所Ｇ１に設けられる操作スイッチ（ＳＷ１またはＳＷ２）がＯＮであり、他の操作スイッチ設置可能箇所Ｇ２〜４に設けられる操作スイッチＳＷ３〜ＳＷ８がＯＦＦであることが認識される。
【００３４】
同様に、ＣＯＭ１にＨｉｇｈを出力すると共にＣＯＭ２にＬｏｗを出力して、ＤＡＴ１に５Ｖ、ＤＡＴ２に０〜５Ｖの中間値が入力された場合には、操作スイッチ設置可能箇所Ｇ２に設けられる操作スイッチ（ＳＷ３またはＳＷ４）がＯＮであり、他の操作スイッチ設置可能箇所Ｇ１、Ｇ３、Ｇ４に設けられる操作スイッチＳＷ１、ＳＷ２，ＳＷ５〜ＳＷ８がＯＦＦであることが認識される。
【００３５】
また、ＣＯＭ１にＬｏｗを出力すると共にＣＯＭ２にＨｉｇｈを出力して、ＤＡＴ１に０〜５Ｖの中間値が入力され、ＤＡＴ２に５Ｖが入力された場合には、操作スイッチ設置可能箇所Ｇ３に設けられる操作スイッチ（ＳＷ５またはＳＷ６）がＯＮであり、他の操作スイッチ設置可能箇所Ｇ１、Ｇ２、Ｇ４に設けられる操作スイッチＳＷ１〜ＳＷ４、ＳＷ７〜ＳＷ８がＯＦＦであることが認識される。
【００３６】
また、ＣＯＭ１にＬｏｗを出力すると共にＣＯＭ２にＨｉｇｈを出力して、ＤＡＴ１に５Ｖ、ＤＡＴ２に０〜５Ｖの中間値が入力された場合には、操作スイッチ設置可能箇所Ｇ４に設けられる操作スイッチ（ＳＷ７またはＳＷ８）がＯＮであり、他の操作スイッチ設置可能箇所Ｇ１〜Ｇ３に設けられる操作スイッチＳＷ１〜ＳＷ６がＯＦＦであることが認識される。
【００３７】
図６に示すように、ＣＯＭ１に所定のパルス幅のＨｉｇｈを出力すると共にＣＯＭ２に所定のパルス幅のＬｏｗを出力し、その後、ＣＯＭ１に所定のパルス幅のＬｏｗを出力すると共にＣＯＭ２に所定のパルス幅のＨｉｇｈを出力し、これを繰り返す。
【００３８】
そして、いずれの操作スイッチ設置可能箇所Ｇ１〜Ｇ４に設けられる操作スイッチＳＷ１〜ＳＷ８がＯＮとなったかが認識された後、その中のいずれの操作スイッチＳＷ１〜ＳＷ８がＯＮとなったかを認識するものである。これにあたっては、ＤＡＴ１またはＤＡＴ２に入力された０〜５Ｖの中間値の大きさにより、いずれの操作スイッチＳＷ１〜ＳＷ８がＯＮとなったかを認識する。
【００３９】
例えば、ＣＯＭ１にＨｉｇｈを出力すると共にＣＯＭ２にＬｏｗを出力して、ＤＡＴ１に０〜５Ｖの中間値、ＤＡＴ２に５Ｖが入力された場合、まず、操作スイッチ設置可能箇所Ｇ１に設けられる操作スイッチ（ＳＷ１またはＳＷ２）がＯＮであることが認識される。
【００４０】
次に、ＤＡＴ１に入力された検査信号の電圧（検査電圧）の大きさを認識する。図５に示すように、操作スイッチＳＷ１がＯＮで操作スイッチＳＷ２がＯＦＦの場合、ＤＡＴ１には、図６に示すように、５Ｖ×（スイッチ抵抗体ＳＲ１の抵抗値／（スイッチ抵抗体ＳＲ１の抵抗値＋抵抗体Ｒ１の抵抗値））＝２．８６Ｖが入力される。
【００４１】
また、図７に示すように、操作スイッチＳＷ２がＯＮで操作スイッチＳＷ１がＯＦＦの場合、ＤＡＴ１には、図８に示すように、５Ｖ×（スイッチ抵抗体ＳＲ２の抵抗値／（スイッチ抵抗体ＳＲ２の抵抗値＋抵抗体Ｒ１の抵抗値））＝１．９３Ｖが入力される。
【００４２】
また、図９に示すように、操作スイッチＳＷ１およびＳＷ２の両方がＯＮの場合、ＤＡＴ１には、図１０に示すように、５Ｖ×（スイッチ抵抗体ＳＲ１およびＳＲ２の並列接続の場合の抵抗値／（スイッチ抵抗体ＳＲ１およびＳＲ２の並列接続の場合の抵抗値＋抵抗体Ｒ１の抵抗値））＝１．４９Ｖが入力される。
【００４３】
すなわち、ＤＡＴ１に、２．８６Ｖが入力されると、操作スイッチＳＷ１がＯＮ、操作スイッチＳＷ２がＯＦＦであることが認識され、１．９３Ｖが入力されると、操作スイッチＳＷ２がＯＮ、操作スイッチＳＷ１がＯＦＦであることが認識され、１．４９Ｖが入力されると、操作スイッチＳＷ１およびＳＷ２の両方がＯＮであることが認識される。
【００４４】
同様に、ＣＯＭ１にＨｉｇｈを出力すると共にＣＯＭ２にＬｏｗを出力して、ＤＡＴ１に５Ｖ、ＤＡＴ２に中間値が入力され、中間値が２．８６Ｖであると、操作スイッチＳＷ３がＯＮ、操作スイッチＳＷ４がＯＦＦであることが認識され、中間値が１．９３Ｖであると、操作スイッチＳＷ４がＯＮ、操作スイッチＳＷ３がＯＦＦであることが認識され、中間値が１．４９Ｖであると、操作スイッチＳＷ３およびＳＷ４の両方がＯＮであることが認識される。
【００４５】
また、ＣＯＭ１にＬｏｗを出力すると共にＣＯＭ２にＨｉｇｈを出力して、ＤＡＴ１に０〜５Ｖの中間値が入力され、ＤＡＴ２に５Ｖが入力され、中間値が２．８６Ｖであると、操作スイッチＳＷ５がＯＮ、操作スイッチＳＷ６がＯＦＦであることが認識され、中間値が１．９３Ｖであると、操作スイッチＳＷ６がＯＮ、操作スイッチＳＷ５がＯＦＦであることが認識され、中間値が１．４９Ｖであると、操作スイッチＳＷ５およびＳＷ６の両方がＯＮであることが認識される。
【００４６】
また、ＣＯＭ１にＬｏｗを出力すると共にＣＯＭ２にＨｉｇｈを出力して、ＤＡＴ１に５Ｖ、ＤＡＴ２に０〜５Ｖの中間値が入力され、中間値が２．８６Ｖであると、操作スイッチＳＷ７がＯＮ、操作スイッチＳＷ８がＯＦＦであることが認識され、中間値が１．９３Ｖであると、操作スイッチＳＷ８がＯＮ、操作スイッチＳＷ７がＯＦＦであることが認識され、中間値が１．４９Ｖであると、操作スイッチＳＷ７およびＳＷ８の両方がＯＮであることが認識される。
【００４７】
加熱調理器２は、操作部６に設けられる個別操作部として、加熱部４による加熱の停止指令を制御部に対して入力するための停止指令用操作部を備える。本実施形態では、電源操作部７と制御部とで、停止指令用操作部を構成する。電源操作部７を押し操作することにより、コンロバーナを消火させることができるようになっている。ちなみに、コンロバーナを燃焼させている状態において電源操作部７が押し操作されると、三つのコンロバーナのうちの点火しているものが全て消火される。停止指令用操作部（電源操作部７）には操作スイッチＳＷ８が対応している。
【００４８】
そして、本発明の操作スイッチの操作検出用回路を加熱調理器２（ガスコンロ）に用いるときには、停止指令用操作部（電源操作部７）に対応する操作スイッチＳＷ８と直列に設けられるスイッチ抵抗体ＳＲ８の抵抗値を、最も低い抵抗値とするものである。
【００４９】
さらに説明すると、操作スイッチＳＷ８と直列に設けられるスイッチ抵抗体ＳＲ８の配置箇所は導体で短絡されている。言い換えると、操作スイッチＳＷ８と直列に設けられるスイッチ抵抗体ＳＲ８の抵抗値を０Ωとしてある。
【００５０】
このように、停止指令用操作部（電源操作部７）に対応する操作スイッチＳＷ８と直列に設けられるスイッチ抵抗体ＳＲ８の抵抗値を、複数のスイッチ抵抗体ＳＲ１〜ＳＲ８の中で、最も低い抵抗値としてあるので、操作スイッチＳＷ８が接続される出力線ｏ１および操作スイッチＳＷ８が接続される入力線ｉ２との間のインピーダンスが低減される。これにより、操作スイッチＳＷ８の操作検出用回路にノイズが印加されたときにも、誤検出の発生が抑制され、停止指令用操作部（電源操作部７）が操作されたとき適正に加熱部による加熱の停止指令を制御部に対して入力することができ、安全な加熱調理器２とすることが可能となる。
【００５１】
なお、図４に示す実施形態では、各操作スイッチ設置可能箇所Ｇ１〜Ｇ４にそれぞれ２本のスイッチ導線および２個の操作スイッチ（ＳＷ１およびＳＷ２、ＳＷ３およびＳＷ４、ＳＷ５およびＳＷ６、ＳＷ７およびＳＷ８）が設けられ、各スイッチ導線に設けられるスイッチ抵抗体（ＳＲ１およびＳＲ２、ＳＲ３およびＳＲ４、ＳＲ５およびＳＲ６、ＳＲ７およびＳＲ８）の抵抗値は２種類（１０ｋΩ、４．７ｋΩ）であった。これに対し、各操作スイッチ設置可能箇所に、３本のスイッチ導線および３個の操作スイッチが設けられ、各スイッチ導線に設けられるスイッチ抵抗体の抵抗値が３種類であってもよい。さらに一般化して、４以上の整数をｐとして、各操作スイッチ設置可能箇所に、ｐ本のスイッチ導線およびｐ個の操作スイッチが設けられ、各スイッチ導線に設けられるスイッチ抵抗体の抵抗値がｐ種類あってもよい。
【００５２】
また、図４に示す実施形態では、出力線の本数ｍが２であったが、出力線の本数ｍは３、４、・・・等、３以上であってもよい。また、入力線の本数ｎが２であったが、出力線の本数ｎも３、４、・・・等、４以上であってもよい。この場合、各操作スイッチ設置可能箇所に設けられるスイッチ導線および操作スイッチの数、スイッチ抵抗体の種類の数がｐであるとすると、最大でｍ×ｎ×ｐ個の操作スイッチが設置可能となる。
【００５３】
また、電圧源Ｖ１、Ｖ２の電圧値は５Ｖではなく任意の値でよい。図１１に他例の操作スイッチの操作検出用回路を示す。この例では、電圧源Ｖ１、Ｖ２の電圧値は０Ｖである。複数の操作スイッチＳＷ１〜ＳＷ８の同時押し時の逆流を防止するダイオードＤ１１〜Ｄ１８が、ダイオードＤ１〜Ｄ８と反対向きに接続される。
【００５４】
そして、ＣＯＭ１に検査信号としてＬｏｗ（０Ｖ）を出力すると共にＣＯＭ２にはＨｉｇｈ（５Ｖ）を出力する。このとき、操作スイッチＳＷ１〜ＳＷ８が全てＯＦＦであれば、ＤＡＴ１およびＤＡＴ２には０Ｖが入力される。また、操作スイッチＳＷ５〜ＳＷ８のいずれか一つがＯＮとなり、操作スイッチＳＷ１〜ＳＷ８の残りがＯＦＦであっても、ＤＡＴ１およびＤＡＴ２には０Ｖが入力される。
【００５５】
そして、操作スイッチ設置可能箇所Ｇ１の操作スイッチ（ＳＷ１またはＳＷ２）がＯＮとなり、残りの操作スイッチＳＷ３〜ＳＷ８がＯＦＦであると、ＤＡＴ１に０〜５Ｖの中間値、ＤＡＴ２に０Ｖが入力され、操作スイッチ（ＳＷ１またはＳＷ２）がＯＮであることが認識される。そして、図１２に示すように、ＤＡＴ１に入力された電圧値が、５Ｖ×（抵抗体Ｒ１の抵抗値／（スイッチ抵抗体ＳＲ１の抵抗値＋抵抗体Ｒ１の抵抗値））＝２．１４Ｖの場合には、操作スイッチＳＷ１がＯＮで操作スイッチＳＷ２がＯＦＦと認識される。
【００５６】
また、ＤＡＴ１に入力された電圧値が、５Ｖ×（抵抗体Ｒ１の抵抗値／（スイッチ抵抗体ＳＲ２の抵抗値＋抵抗体Ｒ１の抵抗値））＝３．０７Ｖの場合には、操作スイッチＳＷ２がＯＮで操作スイッチＳＷ１がＯＦＦと認識される。ＤＡＴ１に入力された電圧値が、５Ｖ×（抵抗体Ｒ１の抵抗値／（スイッチ抵抗体ＳＲ１およびＳＲ２の並列接続の場合の抵抗値＋抵抗体Ｒ１の抵抗値））＝３．５１Ｖの場合には、操作スイッチＳＷ１およびＳＷ２の両方がＯＮであると認識される。
【００５７】
他の操作スイッチ設置可能箇所Ｇ２〜Ｇ４の場合も同様に操作スイッチＳＷ３〜ＳＷ８のＯＮおよびＯＦＦの認識が可能である。
【００５８】
なお、本発明は、上記実施形態に限定されるものではなく、本発明の範囲内において種々の変形を加えることが可能である。
【符号の説明】
【００５９】
１    キッチンカウンター
１１  カウンタートップ
１１ａ  前縁
１２  調理用作業面
２    加熱調理器
３    天板
４    加熱部
５    五徳
６    操作部
７    電源操作部
ＣＯＭ１〜ＣＯＭ２  出力端子
ＤＡＴ１〜ＤＡＴ２  入力端子
Ｄ１〜Ｄ８  ダイオード
Ｄ１１〜Ｄ１８  ダイオード
Ｇ１〜Ｇ４  操作スイッチ設置可能箇所
ｉ１〜ｉ２  入力線
ｏ１〜ｏ２  出力線
Ｒ１〜Ｒ２  抵抗体
ＳＷ１〜ＳＷ８  操作スイッチ
ＳＲ１〜ＳＲ８  スイッチ抵抗体
Ｖ１〜Ｖ２  電圧源
【図１】
0006637739.tif 000002
【図２】
0006637739.tif 000003
【図３】
0006637739.tif 000004
【図４】
0006637739.tif 000005
【図５】
0006637739.tif 000006
【図６】
0006637739.tif 000007
【図７】
0006637739.tif 000008
【図８】
0006637739.tif 000009
【図９】
0006637739.tif 000010
【図１０】
0006637739.tif 000011
【図１１】
0006637739.tif 000012
【図１２】
0006637739.tif 000013